(57)【特許請求の範囲】
【請求項１】
文字板（５３）に正確な時刻を表示するため、動力源（１）、秒カウント装置（２）、分カウント装置（３）、時カウント装置（４）及びタイムゾーン表示装置（５）から組成され、
前記タイムゾーン表示装置（５）のタイムゾーンベゼル（５２）が、地板（１１）と文字板（５３）の間に挟まれて、回転できる状態となっており、
また地板（１１）と文字板（５３）間の遊星遊び歯車組が各々タイムゾーンベゼル（５２）の環歯部（５２２）及び一軸が地板（１１）の底部中央に接続する遊星基本歯車（５１）と相互に噛合し、
分カウント装置（３）の分車組（３２）の分車軸（３２２）が地板（１１）及び遊星基本歯車（５１）を貫通し、時カウント装置（４）の時前車（４１）が遊星基本歯車（５１）の底部の片側に枢着しかつ分車組（３２）の分車軸（３２２）と噛合し、
またタイムゾーンベゼル（５２）の頂上部の環状に配列する複数個のノコギリ歯状の孔（５２３）に掛合するため、地板（１１）の底部周りに半径方向に取り付けられる少なくとも２つの弾性止め爪（５６）が取り付けられ、
タイムゾーンベゼル（５２）の回転を介して、現地タイムゾーンの第一地域マークを某所定位置に合わせ、また現地時間を合わせてからタイムゾーンベゼル（５２）の他タイムゾーンの第二地域マークを前述の所定位置まで回すことで、その環歯部（５２２）が遊星遊び歯車組及び遊星基本歯車（５１）を連動して回転させ、また各止め爪（５６）が各ノコギリ歯状の孔（５２３）に沿って順番のとおりに掛合し、且つ時前車（４１）が遊星基本歯車（５１）上において、分車軸（３２２）に沿って遊星運動を呈し、時前車（４１）と噛合する時車（４２）を回転させることで時針（４３）を前記第二地域マークの時刻まで移動させることを特徴とする、世界タイムゾーンの表示を具備する時計アセンブリー。
【請求項２】
請求項１記載の世界タイムゾーンの表示を具備する時計アセンブリーにおいて、
動力源（１）は、地板（１１）の頂上部に定着され、回路板（１２）を具備し、電池（１３）を介して電力をステッパモータ（１４）に供給することで、その回転子（１４３）を等速回転させることと、
秒カウント装置（２）は、秒前車（２１）と回転子（１４３）が噛合し、他側が秒車（２２）と噛合し、且つ秒車（２２）底部中央から下に向かって秒針の軸（２３）が延伸し、その端部が文字板（５３）を突き抜けると共に秒針/盤（２４）を枢着することと、
分カウント装置（３）は、分前車（３１）で秒車（２２）と噛合し、その下方で分車組（３２）と噛合し、前記分車組（３２）底部から分針（３４）の軸（３３）を延伸し、その端部が文字板（５３）を突き抜けると共に分針（３４）を枢着すること、及び、
時カウント装置（４）は、時前車（４１）で分車組（３２）と噛合し、他側が時車（４２）と噛合し、前記時車（４２）は分針の軸（３３）に貫通され、且つ端部が文字板（５３）を突き抜けると共に時針（４３）を枢着することを特徴とする、世界タイムゾーンの表示を具備する時計アセンブリー。
【請求項３】
請求項１記載の世界タイムゾーンの表示を具備する時計アセンブリーにおいて、前記分車組（３２）は分車（３２１）と分車軸（３２２）を移動自在にするよう嵌装され、また留め具（３２３）により両者を一体として結合させ、前記分車軸（３２２）が地板（１１）中央に設けられると共に遊星基本歯車（５１）を貫通して時前車（４１）と噛合し、時間を調整する時、前記分車（３２１）が分前車（３１）の伝達を受けるが、空転を形成することを特徴とする、世界タイムゾーンの表示を具備する時計アセンブリー。
【請求項４】
請求項１記載の世界タイムゾーンの表示を具備する時計アセンブリーにおいて、これらノコギリ歯状の孔（５２３）は単方向で、且つ２４個設置され、２４タイムゾーンに相対させるようになることを特徴とする、世界タイムゾーンの表示を具備する時計アセンブリー。
【請求項５】
請求項１記載の世界タイムゾーンの表示を具備する時計アセンブリーにおいて、昼夜表示装置（６）を更に含み、前記装置は時車（４２）の片側が文字板（５３）の板孔（５３１）内に収納する昼夜歯車（６１）と噛合することで、前記昼夜歯車（６１）を時車（４２）と伴に回転させることができ、その盤面に昼夜を示す標識（６２）を有することで昼夜時間を判断することを特徴とする、世界タイムゾーンの表示を具備する時計アセンブリー。
【請求項６】
請求項１記載の世界タイムゾーンの表示を具備する時計アセンブリーにおいて、前記遊星遊び歯車組は文字板（５３）に枢着する遊星遊び歯車（５４）上方で地板（１１）に枢着する遊星従動車（５５）を結合して組成されるものを特徴とする、世界タイムゾーンの表示を具備する時計アセンブリー。
【請求項７】
請求項６記載の世界タイムゾーンの表示を具備する時計アセンブリーにおいて、前記遊星遊び歯車（５４）と遊星従動車（５５）の間には、少なくとも2本の嵌装用ほぞ（５４１）を少なくとも2個嵌装孔（５５１）に嵌插することで両者が同時に回転されることを特徴とする、世界タイムゾーンの表示を具備する時計アセンブリー。
【請求項８】
請求項１記載の世界タイムゾーンの表示を具備する時計アセンブリーにおいて、時間調整つまみを引っ張ると共に回転することで、筒カナ（３６）を上方に上がって筒カナ（３６）と嵌装するバネ（３７）を圧縮し前記筒カナ（３６）と地板（１１）に枢着する従動車（３８）を回転させて更に従動車（３８）と噛合する分車軸（３２２）も相対的に回転させて時間を調整する時間調整装置を別途含むことを特徴とする、世界タイムゾーンの表示を具備する時計アセンブリー。
【請求項９】
請求項１記載の世界タイムゾーンの表示を具備する時計アセンブリーにおいて、地板（１１）裏面と結合し、表面の時間調整装置と電池（１３）に対応する位置に各々筒カナ孔（７１）及び電池孔を設けるカバー（７）を別途含むことを特徴とする、世界タイムゾーンの表示を具備する時計アセンブリー。
【請求項１０】
請求項１記載の世界タイムゾーンの表示を具備する時計アセンブリーにおいて、前記時計アセンブリーはケースに取り付けられ、その前面は２４タイムゾーンの代表都市を具備するタイムゾーン回転盤（８１）を係合し、相互に結合するため、前記ベゼル内面のタイムゾーンベゼル（５２）の接合部（５２１）に対応する位置に連接部（８１１）を設け、前記タイムゾーン回転盤（８１）前面に風防ガラス（８２）を結合し、またケース裏面に裏蓋（８４）を取り付け、前記タイムゾーン回転盤（８１）を回すと、タイムゾーンベゼル（５２）及び時カウント装置（４）が対応して作動を連動させて、その他タイムゾーンの時刻を調べることができることを特徴とする、世界タイムゾーンの表示を具備する時計アセンブリー。
【請求項１１】
文字板（５３）に正確な時刻を表示するため、動力源（１）、秒カウント装置（２）、分カウント装置（３）、時カウント装置（４）及びタイムゾーン表示装置（５）から組成され、
前記タイムゾーン表示装置（５）のタイムゾーンベゼル（５２）及び係合リング（５７）が、地板（１１）と文字板（５３）の間に挟まれて、同時に回転できる状態となっており、
また地板（１１）と文字板（５３）間の遊星遊び歯車組が各々タイムゾーンベゼル（５２）の環歯部（５２２）及び一軸が地板（１１）の底部中央に接続する遊星基本歯車（５１）と相互に噛合し、
分カウント装置（３）の分車組（３２）の分車軸（３２２）が地板（１１）及び遊星基本歯車（５１）を貫通し、且つ時カウント装置（４）の時前車（４１）が遊星基本歯車（５１）の底部の片側に枢着しかつ分車軸（３２２）と噛合し、
前記係合リング（５７）において、地板（１１）の底部の周りに環状に配列される複数個のノコギリ歯状の孔（１５）に掛合するため、内側に向かって少なくとも２つの弾性止め爪（５７２）が斜方向に張り出しており、
タイムゾーンベゼル（５２）の回転を介して、現地タイムゾーンの第一地域マークを某所定位置に合わせ、また現地時間を合わせてからタイムゾーンベゼル（５２）の他タイムゾーンの第二地域マークを前述の所定位置まで回すことで、その環歯部（５２２）が遊星遊び歯車組及び遊星基本歯車（５１）を連動して回転させ、また各止め爪（５７２）が各ノコギリ歯状の孔（１５）に沿って順番のとおりに掛合し、且つ時前車（４１）が遊星基本歯車（５１）上において、分車軸（３２２）に沿って遊星運動を呈し、また時前車（４１）と噛合する時車（４２）を回転させることで時針（４３）を前記第二地域マークの時刻まで移動させることを特徴とする、世界タイムゾーンの表示を具備する時計アセンブリー。
【請求項１２】
請求項１１記載の世界タイムゾーンの表示を具備する時計アセンブリーにおいて、
動力源（１）は、地板（１１）頂上部に定着され、回路板（１２）を具備し、電池（１３）を介して電力をステッパモータ（１４）に供給することで、その回転子（１４３）を等速回転させることと、
秒カウント装置（２）は、秒前車（２１）と回転子（１４３）が噛合し、他側が秒車（２２）と噛合し、且つ秒車（２２）底部中央から下に向かって秒針の軸（２３）が延伸し、その端部が文字板（５３）を突き抜けると共に秒針/盤（２４）を枢着することと、
分カウント装置（３）は、分前車（３１）で秒車（２２）と噛合し、その下方で分車組（３２）と噛合し、前記分車組（３２）底部から分針の軸（３３）を延伸し、その端部が文字板（５３）を突き抜けると共に分針（３４）を枢着すること、及び、
時カウント装置（４）は、時前車（４１）で分車組（３２）と噛合し、他側が時車（４２）と噛合し、前記時車（４２）は分針の軸（３３）に貫通され、且つ端部が文字板（５３）を突き抜けると共に時針（４３）を枢着することを特徴とする、世界タイムゾーンの表示を具備する時計アセンブリー。
【請求項１３】
請求項１１記載の世界タイムゾーンの表示を具備する時計アセンブリーにおいて、前記分車組（３２）は分車（３２１）と分車軸（３２２）を移動自在にするよう嵌装され、また留め具（３２３）により両者を一体として結合させ、前記分車軸（３２２）が地板（１１）中央に設けられると共に遊星基本歯車（５１）を貫通して時前車（４１）と噛合し、時間を調整する時、前記分車（３２１）が分前車（３１）の伝達を受けるが、空転を形成することを特徴とする、世界タイムゾーンの表示を具備する時計アセンブリー。
【請求項１４】
請求項１１記載の世界タイムゾーンの表示を具備する時計アセンブリーにおいて、前記地板（１１）底部周りの複数個ノコギリ歯状の孔（１５）は単方向で、且つ２４個設置され、２４タイムゾーンに相対させるようになることを特徴とする、世界タイムゾーンの表示を具備する時計アセンブリー。
【請求項１５】
請求項１１記載の世界タイムゾーンの表示を具備する時計アセンブリーにおいて、昼夜表示装置（６）を更に含み、前記装置は時車（４２）の片側が文字板（５３）の板孔（５３１）内に収納する昼夜歯車（６１）と噛合することで、前記昼夜歯車（６１）を時車（４２）と伴に回転させることができ、その盤面に昼夜を示す標識（６２）を有することで昼夜時間を判断することを特徴とする、世界タイムゾーンの表示を具備する時計アセンブリー。
【請求項１６】
請求項１１記載の世界タイムゾーンの表示を具備する時計アセンブリーにおいて、前記遊星遊び歯車組は文字板（５３）に枢着する遊星遊び歯車（５４）上方で地板（１１）に枢着する遊星従動車（５５）を結合して組成されるものを特徴とする、世界タイムゾーンの表示を具備する時計アセンブリー。
【請求項１７】
請求項１６記載の世界タイムゾーンの表示を具備する時計アセンブリーにおいて、前記遊星遊び歯車（５４）と遊星従動車（５５）の間には、少なくとも2本の嵌装用ほぞ（５４１）を少なくとも2個嵌装孔（５５１）に嵌插することで両者が同時に回転されることを特徴とする、世界タイムゾーンの表示を具備する時計アセンブリー。
【請求項１８】
請求項１１記載の世界タイムゾーンの表示を具備する時計アセンブリーにおいて、時間調整つまみを引っ張ると共に回転することで、筒カナ（３６）を上方に上がって筒カナ（３６）と嵌装するバネ（３７）を圧縮し前記筒カナ（３６）と地板（１１）に枢着する従動車（３８）を回転させて更に従動車（３８）と噛合する分車軸（３２２）も相対的に回転させて時間を調整する時間調整装置を別途含むことを特徴とする、世界タイムゾーンの表示を具備する時計アセンブリー。
【請求項１９】
請求項１１記載の世界タイムゾーンの表示を具備する時計アセンブリーにおいて、地板（１１）裏面と結合し、表面の時間調整装置と電池（１３）に対応する位置に各々筒カナ孔（７１）及び電池孔を設けるカバー（７）を別途含み、且つ前記電池孔を電池カバー（７３）で封止することを特徴とする、世界タイムゾーンの表示を具備する時計アセンブリー。
【請求項２０】
請求項１１記載の世界タイムゾーンの表示を具備する時計アセンブリーにおいて、前記時計アセンブリーはケースに取り付けられ、その前面は２４タイムゾーンの代表都市を具備するタイムゾーン回転盤（８１）を係合し、相互に結合するため、前記ベゼル内面のタイムゾーンベゼル（５２）の接合部（５２１）に対応する位置に連接部（８１１）を設け、前記タイムゾーン回転盤（８１）前面に風防ガラス（８２）を結合し、またケース裏面に裏蓋（８４）を取り付け、前記タイムゾーン回転盤（８１）を回すと、タイムゾーンベゼル（５２）及び時カウント装置（４）が対応して作動を連動させて、その他タイムゾーンの時刻を調べることができることを特徴とする、世界タイムゾーンの表示を具備する時計アセンブリー。
【発明の詳細な説明】
【技術分野】
【０００１】
本発明は時計アセンブリーに関り、特に、世界タイムゾーン表示を具備する時計アセンブリーに関する。
【背景技術】
【０００２】
交通及び通信の発達に伴い、国際間の交流が日益に頻繁となり、国々を横断する交流も日に日に普遍化となってきているため、情報の伝達及び時差等の因素を考慮し、同時に例えば時計(或いは世界時計という)或いは腕時計のように他タイムゾーンを表示できる時計アセンブリーが、時流の必要性により現れてきた。
【０００３】
また従来の世界時計において、最も通常的に見られるのは、時計盤上に世界地図が印刷され、その後更に地図を頼りに時刻を見るようになっている。この方法の欠陥は時計盤があまりにも複雑となり、視覚上の認識と伝達において人間工学に適していない。
【０００４】
すなわち簡易型世界時計を例にすると、２４時間ムーブメントで時刻を表示し、この時計盤の周りに２４タイムゾーンの代表的都市名があるタイムゾーンリングを嵌合している。このタイムゾーンリング内の現地都市を現地時刻に対応するよう回転すると、その他タイムゾーン内の関連都市の時刻を推定できるようになっている。しかしその欠陥は、使用するムーブメントが必ず２４時間でなければならず、且つこのタイムゾーンリングと時計盤の間に取り付け機構が無いため、一定期間使用すると、タイムゾーンリングの緩みがよく起きることで、更に判読の困難が生じていた。更に、この世界時計のタイムゾーンリングが２４時間の時間標識間と距離があるため、容易に判読上の誤差が生じた。更に、時計盤に２４時間の目盛を配置しなければならないことから、アワーマーカーとアワーマーカーの間の距離が圧迫を受けるため、分針の判読に不便であった。
【０００５】
また腕時計の形態は、軽薄短小が主で文字盤に寸法上の制限があるため、世界地図を印刷することができず、当然地図を頼りに時刻を見ることができない。また現行の解決策では、腕時計内に２個のムーブメントを設置することで両地間の時刻を表示していた。しかしながらこの方法は、その他タイムゾーンの時刻を即時に推定できないことから、全面的世界タイムゾーンを表示できる時計アセンブリーとは言えないため、更なる関連業者の改良が必要とされていた。
【発明の開示】
【発明が解決しようとする課題】
【０００６】
上述に鑑み、本発明の発明者は、長年に渡る時計、腕時計のムーブメント設計と生産販売に従事した経験により、また特許文献１(特許文献２及び特許文献３に対応)の許可事実に基づき、時計ムーブメントを薄型化させ、例えば腕時計類の時計アセンブリーに運用し、且つ各タイムゾーンの時刻を表示する時間機能を失わないようにするため、再三再四の実験とテストを経ることで、本発明の「世界タイムゾーンの表示を具備する時計アセンブリー」を開発するにいたった。
【特許文献１】台湾第９０１１７５２１号特許案
【特許文献２】アメリカ第６,６３６,４５７号特許案
【特許文献３】中国第０１１２０６６８.３号特許案
【０００７】
本発明の主な目的は、世界タイムゾーンの表示を具備する時計アセンブリーを提供することにあり、文字板に正確な時刻を表示するため、動力源、秒カウント装置、分カウント装置、時カウント装置及びタイムゾーン表示装置から組成される。前記タイムゾーン表示装置のタイムゾーンベゼルが、地板と文字板の間に挟まれて、回転できる状態となり、また地板と文字板間の遊星遊び歯車組が各々タイムゾーンベゼルの環歯部及び一軸が地板底部中央に接続する遊星基本歯車と相互に噛合する。前記遊星基本歯車は、分カウント装置の分車組を貫通するために供され、且つ時カウント装置の時前車が遊星基本歯車底部の片側に枢着し、またタイムゾーンベゼル頂上部の環状に配列する複数個ノコギリ歯状の孔に掛合するため、地板底部周りに少なくとも２つの弾性止め爪を半径方向に取り付ける。タイムゾーンベゼルの回転を介して、現地タイムゾーンの第一地域マークを某所定位置に合わせ、また現地時間を合わせてからタイムゾーンベゼルの他タイムゾーンの第二地域マークを前述の所定位置まで回すことで、その環歯部が遊星遊び歯車組及び遊星基本歯車を連動して回転させ、また各止め爪が各ノコギリ歯状の孔に沿って順番とおり掛合し、且つ時前車が遊星基本歯車上において、分車組に沿って遊星運動を呈し、また分車組と噛合する時車を回転させることで時針を前記第二地域マークの時刻まで移動させるものである。
【０００８】
本発明の別の目的は、世界タイムゾーンの表示を具備する時計アセンブリーを提供することにあり、文字板に正確な時刻を表示するため、動力源、秒カウント装置、分カウント装置、時カウント装置及びタイムゾーン表示装置から組成される。前記タイムゾーン表示装置のタイムゾーンベゼル及び係合リングが、地板と文字板の間に挟まれて、同時に回転できる状態となり、また地板と文字板間の遊星遊び歯車組が各々タイムゾーンベゼルの環歯部及び一軸が地板底部中央に接続する遊星基本歯車と相互に噛合する。前記遊星基本歯車は、分カウント装置の分車組を貫通するために供され、且つ時カウント装置の時前車が遊星基本歯車底部の片側に枢着し、前記係合リングは地板底部周りの環状に配列する複数個ノコギリ歯状の孔に掛合するため、内側に向かって少なくとも２つの弾性止め爪が斜方向に張り出す。タイムゾーンベゼルの回転を介して、現地タイムゾーンの第一地域マークを某所定位置に合わせ、また現地時間を合わせてからタイムゾーンベゼルの他タイムゾーンの第二地域マークを前述の所定位置まで回すことで、その環歯部が遊星遊び歯車組及び遊星基本歯車を連動して回転させ、また各止め爪が各ノコギリ歯状の孔に沿って順番とおり掛合し、且つ時前車が遊星基本歯車上において、分車組に沿って遊星運動を呈し、また分車組と噛合する時車を回転させることで時針を前記第二地域マークの時刻まで移動させることにある。
【課題を解決するための手段】
【０００９】
文字板に正確な時刻を表示するため、動力源、秒カウント装置、分カウント装置、時カウント装置及びタイムゾーン表示装置から組成され、前記タイムゾーン表示装置のタイムゾーンベゼルが、地板と文字板の間に挟まれて、回転できる状態となり、また地板と文字板間の遊星遊び歯車組が各々タイムゾーンベゼルの環歯部及び一軸が地板底部中央に接続する遊星基本歯車と相互に噛合し、分カウント装置の分車組が前記遊星基本歯車を貫通し、且つ時カウント装置の時前車が遊星基本歯車底部の片側に枢着し、またタイムゾーンベゼル頂上部の環状に配列する複数個ノコギリ歯状の孔に掛合するため、地板底部周りに少なくとも２つの弾性止め爪を半径方向に取り付け、タイムゾーンベゼルの回転を介して、現地タイムゾーンの第一地域マークを某所定位置に合わせ、また現地時間を合わせてからタイムゾーンベゼルの他タイムゾーンの第二地域マークを前述の所定位置まで回すことで、その環歯部が遊星遊び歯車組及び遊星基本歯車を連動して回転させ、また各止め爪が各ノコギリ歯状の孔に沿って順番とおり掛合し、且つ時前車が遊星基本歯車上において、分車組に沿って遊星運動を呈し、また分車組と噛合する時車を回転させることで時針を前記第二地域マークの時刻まで移動させることを特徴とする、世界タイムゾーンの表示を具備する時計アセンブリーとしている。
【００１０】
請求項２の発明は、請求項１記載の世界タイムゾーンの表示を具備する時計アセンブリーにおいて、動力源は、地板頂上部に定着され、回路板を具備し、電池を介して電力をステッパモータに供給することで、その回転子を等速回転させることと、秒カウント装置は、秒前車と回転子の噛合し、他側が秒車と噛合し、且つ秒車底部中央から下に向かって秒針の軸が延伸し、その端部が文字板を突き抜けると共に秒針/盤を枢着することと、分カウント装置は、分前車で秒車と噛合し、その下方で分車組と噛合し、前記分車組底部から分針の軸を延伸し、その端部が文字板を突き抜けると共に分針を枢着すること、及び、時カウント装置は、時前車で分車組と噛合し、他側が時車と噛合し、前記時車は分針の軸を貫通するために供され、且つ端部が文字板を突き抜けると共に時針を枢着することを特徴とする、世界タイムゾーンの表示を具備する時計アセンブリーとしている。
【００１１】
請求項３の発明は、請求項１記載の世界タイムゾーンの表示を具備する時計アセンブリーにおいて、前記分車組は分車と分車軸を移動自在にするよう嵌装され、また留め具により両者を一体として結合させ、前記分車軸が地板中央に設けられると共に遊星基本歯車を貫通して時前車と噛合し、時間を調整する時、前記分車が分前車の伝達を受けるが、空転を形成することを特徴とする、世界タイムゾーンの表示を具備する時計アセンブリーとしている。
【００１２】
請求項４の発明は、請求項１記載の世界タイムゾーンの表示を具備する時計アセンブリーにおいて、これらノコギリ歯状の孔は単方向で、且つ２４個設置され、２４タイムゾーンに相対させるようになることを特徴とする、世界タイムゾーンの表示を具備する時計アセンブリーとしている。
【００１３】
請求項５の発明は、請求項１記載の世界タイムゾーンの表示を具備する時計アセンブリーにおいて、昼夜表示装置を更に含み、前記装置は時車の片側が文字板の板孔内に収納する昼夜歯車と噛合することで、前記昼夜歯車を時車と伴に回転させることができ、その盤面に昼夜を示す標識を有することで昼夜時間を判断することを特徴とする、世界タイムゾーンの表示を具備する時計アセンブリーとしている。
【００１４】
請求項６の発明は、請求項１記載の世界タイムゾーンの表示を具備する時計アセンブリーにおいて、前記遊星遊び歯車組は文字板に枢着する遊星遊び歯車上方で地板に枢着する遊星従動車を結合して組成されるものを特徴とする、世界タイムゾーンの表示を具備する時計アセンブリーとしている。
【００１５】
請求項７の発明は、請求項６記載の世界タイムゾーンの表示を具備する時計アセンブリーにおいて、前記遊星遊び歯車と遊星従動車の間には、少なくとも2本の嵌装用ほぞを少なくとも2個嵌装孔に嵌插することで両者が同時に回転されることを特徴とする、世界タイムゾーンの表示を具備する時計アセンブリーとしている。
【００１６】
請求項８の発明は、請求項１記載の世界タイムゾーンの表示を具備する時計アセンブリーにおいて、時間調整つまみを引っ張ると共に回転することで、筒カナを上方に上がって筒カナと嵌装するバネを圧縮し前記筒カナと地板に枢着する従動車を回転させて更に従動車と噛合する分車軸も相対的に回転させて時間を調整する時間調整装置を別途含むことを特徴とする、世界タイムゾーンの表示を具備する時計アセンブリーとしている。
【００１７】
請求項９の発明は、請求項１記載の世界タイムゾーンの表示を具備する時計アセンブリーにおいて、地板裏面と結合し、表面の時間調整装置と電池に対応する位置に各々筒カナ孔及び電池孔を設けるカバーを別途含むことを特徴とする、世界タイムゾーンの表示を具備する時計アセンブリーとしている。
【００１８】
請求項１０の発明は、請求項１記載の世界タイムゾーンの表示を具備する時計アセンブリーにおいて、前記時計アセンブリーはケースに取り付けられ、その前面は２４タイムゾーンの代表都市を具備するタイムゾーン回転盤を係合し、相互に結合するため、前記ベゼル内面のタイムゾーンベゼルの接合部に対応する位置に連接部を設け、前記タイムゾーン回転盤前面に風防ガラスを結合し、またケース裏面に裏蓋を取り付け、前記タイムゾーン回転盤を回すと、タイムゾーンベゼル及び時カウント装置が対応して作動を連動させて、その他タイムゾーンの時刻を調べることができることを特徴とする、世界タイムゾーンの表示を具備する時計アセンブリーとしている。
【００１９】
請求項１１の発明は、文字板に正確な時刻を表示するため、動力源、秒カウント装置、分カウント装置、時カウント装置及びタイムゾーン表示装置から組成され、前記タイムゾーン表示装置のタイムゾーンベゼル及び係合リングが、地板と文字板の間に挟まれて、同時に回転できる状態となり、また地板と文字板間の遊星遊び歯車組が各々タイムゾーンベゼルの環歯部及び一軸が地板底部中央に接続する遊星基本歯車と相互に噛合し、分カウント装置の分車組が前記遊星基本歯車を貫通し、且つ時カウント装置の時前車が遊星基本歯車底部の片側に枢着し、前記係合リングは地板底部周りの環状に配列する複数個ノコギリ歯状の孔に掛合するため、内側に向かって少なくとも２つの弾性止め爪が斜方向に張り出し、タイムゾーンベゼルの回転を介して、現地タイムゾーンの第一地域マークを某所定位置に合わせ、また現地時間を合わせてからタイムゾーンベゼルの他タイムゾーンの第二地域マークを前述の所定位置まで回すことで、その環歯部が遊星遊び歯車組及び遊星基本歯車を連動して回転させ、また各止め爪が各ノコギリ歯状の孔に沿って順番とおり掛合し、且つ時前車が遊星基本歯車上において、分車組に沿って遊星運動を呈し、また分車組と噛合する時車を回転させることで時針を前記第二地域マークの時刻まで移動させることを特徴とする、世界タイムゾーンの表示を具備する時計アセンブリーとしている。
【００２０】
請求項１２の発明は、請求項１１記載の世界タイムゾーンの表示を具備する時計アセンブリーにおいて、動力源は、地板頂上部に定着され、回路板を具備し、電池を介して電力をステッパモータに供給することで、その回転子を等速回転させることと、秒カウント装置は、秒前車と回転子の噛合し、他側が秒車と噛合し、且つ秒車底部中央から下に向かって秒針の軸が延伸し、その端部が文字板を突き抜けると共に秒針/盤を枢着することと、分カウント装置は、分前車で秒車と噛合し、その下方で分車組と噛合し、前記分車組底部から分針の軸を延伸し、その端部が文字板を突き抜けると共に分針を枢着すること、及び、時カウント装置は、時前車で分車組と噛合し、他側が時車と噛合し、前記時車は分針の軸を貫通するために供され、且つ端部が文字板を突き抜けると共に時針を枢着することを特徴とする、世界タイムゾーンの表示を具備する時計アセンブリーとしている。
【００２１】
請求項１３の発明は、請求項１１記載の世界タイムゾーンの表示を具備する時計アセンブリーにおいて、前記分車組は分車と分車軸を移動自在にするよう嵌装され、また留め具により両者を一体として結合させ、前記分車軸が地板中央に設けられると共に遊星基本歯車を貫通して時前車と噛合し、時間を調整する時、前記分車が分前車の伝達を受けるが、空転を形成することを特徴とする、世界タイムゾーンの表示を具備する時計アセンブリーとしている。
【００２２】
請求項１４の発明は、請求項１１記載の世界タイムゾーンの表示を具備する時計アセンブリーにおいて、前記地板底部周りの複数個ノコギリ歯状の孔は単方向で、且つ２４個設置され、２４タイムゾーンに相対させるようになることを特徴とする、世界タイムゾーンの表示を具備する時計アセンブリーとしている。
【００２３】
請求項１５の発明は、請求項１１記載の世界タイムゾーンの表示を具備する時計アセンブリーにおいて、昼夜表示装置を更に含み、前記装置は時車の片側が文字板の板孔内に収納する昼夜歯車と噛合することで、前記昼夜歯車を時車と伴に回転させることができ、その盤面に昼夜を示す標識を有することで昼夜時間を判断することを特徴とする、世界タイムゾーンの表示を具備する時計アセンブリーとしている。
【００２４】
請求項１６の発明は、請求項１１記載の世界タイムゾーンの表示を具備する時計アセンブリーにおいて、前記遊星遊び歯車組は文字板に枢着する遊星遊び歯車上方で地板に枢着する遊星従動車を結合して組成されるものを特徴とする、世界タイムゾーンの表示を具備する時計アセンブリーとしている。
【００２５】
請求項１７の発明は、請求項１６記載の世界タイムゾーンの表示を具備する時計アセンブリーにおいて、前記遊星遊び歯車と遊星従動車の間には、少なくとも2本の嵌装用ほぞを少なくとも2個嵌装孔に嵌插することで両者が同時に回転されることを特徴とする、世界タイムゾーンの表示を具備する時計アセンブリーとしている。
【００２６】
請求項１８の発明は、請求項１１記載の世界タイムゾーンの表示を具備する時計アセンブリーにおいて、時間調整つまみを引っ張ると共に回転することで、筒カナを上方に上がって筒カナと嵌装するバネを圧縮し前記筒カナと地板に枢着する従動車を回転させて更に従動車と噛合する分車軸も相対的に回転させて時間を調整する時間調整装置を別途含むことを特徴とする、世界タイムゾーンの表示を具備する時計アセンブリーとしている。
【００２７】
請求項１９の発明は、請求項１１記載の世界タイムゾーンの表示を具備する時計アセンブリーにおいて、地板裏面と結合し、表面の時間調整装置と電池に対応する位置に各々筒カナ孔及び電池孔を設けるカバーを別途含み、且つ前記電池孔を電池カバーで封止することを特徴とする、世界タイムゾーンの表示を具備する時計アセンブリーとしている。
【００２８】
請求項２０の発明は、請求項１１記載の世界タイムゾーンの表示を具備する時計アセンブリーにおいて、前記時計アセンブリーはケースに取り付けられ、その前面は２４タイムゾーンの代表都市を具備するタイムゾーン回転盤を係合し、相互に結合するため、前記ベゼル内面のタイムゾーンベゼルの接合部に対応する位置に連接部を設け、前記タイムゾーン回転盤前面に風防ガラスを結合し、またケース裏面に裏蓋を取り付け、前記タイムゾーン回転盤を回すと、タイムゾーンベゼル及び時カウント装置が対応して作動を連動させて、その他タイムゾーンの時刻を調べることができることを特徴とする、世界タイムゾーンの表示を具備する時計アセンブリーとしている。
【発明の効果】
【００２９】
そのため、本発明の実施により、得られる効果は非常に大きく、下記の数項目がある。
(１)機構全体の薄型化で、本発明は出願者が保有する特許文献１(特許文献２及び特許文献３に対応する)と比べても、コンポーネントの減縮により、大幅に厚さを低減して腕時計或いは薄型タイマーに運用でき、且つ世界タイムゾーンの表示及び調整機能を失うことなく、また超薄型タイマーのためのモジュール化設計機能を提供する。
(２)時間を容易に判読でき、本発明は１２時間時計アセンブリーによる時間表示を用いるため、読み取り習慣を変更することなく、比較的容易に現地或いはその他タイムゾーンの時刻を判読できる。
(３)操作が簡単、また時カウントが正確で、その他タイムゾーンの時刻を調べたい場合、タイムゾーンベゼルを回すだけで、時カウント装置の時前車が遊星基本歯車上で遊星運動を呈し、また時カウント装置の時車が１時間単位方式で移動すると、両地の時刻或いは時差を容易に判読できるため、非常に便利と言える。更に、本発明は、ステッパモータを動力の出力とするため、時間の誤差が容易に生じることがない。
(４)昼夜判読機能を具備し、昼夜歯車により標識の差異を表示し、容易に調べたい某タイムゾーンの昼夜状況を判読できるので、同類物品では過去見ることのできない大変優れた構造となっている。
【発明を実施するための最良の形態】
【００３０】
本発明の具体的な技術内容について更に一歩進んで理解してもらうため、実施例を介し付属の図面を組み合わせることで、本発明に対する詳細な説明を以下のとおり行うものである。
【００３１】
図１ａから図６に示されるものによると、基本的な本発明の時計アセンブリーは、主に動力源１、秒カウント装置２、分カウント装置３、時カウント装置４、及びタイムゾーン表示装置５の組み合わせから成る。同時に、本発明の時計アセンブリーには、更に一歩進んで昼夜表示装置６を含むことができる。
【００３２】
前記動力源１は、地板１１に固設し、電池１３を回路板１２に装設し、電源をコイル１４１、固定子１４２と回転子１４３から組成されるステッパモータ１４に供給し、また動力を秒カウント装置２まで出力する。
【００３３】
秒カウント装置２は、秒前車２１を地板１１上に枢着すると共に回転子１４３と噛合することで連動し、他側が秒車２２と噛合することで、その下方の秒針の軸２３を1分間毎に３６０度回転させる。更に、前記秒針の軸２３が文字板５３から突き抜けると共に秒針/盤２４に枢着する。
【００３４】
分カウント装置３は、減速効果を得させるため、地板１１上に枢着する分前車３１が秒車２２と噛合し、前記分前車３１が分車組３２と噛合する。前記分車組３２底部から分針の軸３３が延伸し、分針の軸３３が地板１１中央を貫通すると共に文字板５３から突き抜け、並びに分針３４に嵌装することで、分針３４が秒針/盤２４に相対して１回転した後６度移動させる。
【００３５】
前記分車組３２は、分車３２１と分車軸３２２を移動自在するよう嵌装され、また留め具３２３により両者を一体に結合し、その長所は、時間調整つまみ３５を引っ張って回転させた時、カバー７を貫通する筒カナ３６を上方に上がって筒カナ３６と嵌装したバネ３７を圧縮し、前記筒カナ３６が地板１１表面に枢着する従動車３８と相対して回転させることで、更に従動車３８と相互に噛合する分車軸３２２を回転させ、分車組３２及び時カウント装置４を相対的に運動させることで、時間調整の目的を達する。時間を調整する時、前記分車３２１が分前車３１の伝達を受けるが空転を形成し、秒針の軸２３がやはり等速回転を維持でき、この行為は時刻を合わせる時、もしも秒針の軸２３の停滞で発生する可能性のある誤差を回避できる。
【００３６】
時カウント装置４は、地板１１底部中央で遊星基本歯車５１を枢着し、前記遊星基本歯車５１底部の片側に時前車４１を枢着し、その側方が分車軸３２２と伴に運転すると共に遊星基本歯車５１に伴い遊星運動を行うことができるため、地板１１及び遊星基本歯車５１を貫通する分車軸３２２と噛合する。その他、前記時前車４１下方は、減速を経た後、前記時車４２が６０分間毎に３０度を回転できるため文字板５３位置において時車４２と噛合する。つまり、前記時車４２は文字板５３を貫通して時針４３と枢着する。
【００３７】
タイムゾーン表示装置５は、地板１１底部中央に遊星基本歯車５１を嵌装し、その中央穴は分車軸３２２が通過することに供され脇に枢着している時前車４１と噛合する。その他タイムゾーンベゼル５２が前記地板１１と文字板５３の間に挟持され、前記タイムゾーンベゼル５２の底部に２４タイムゾーンの代表都市名を表記したタイムゾーン回転盤８１(例えば図６)と連接するため、例えばほぞのような複数個接合部５２１を設け、前記タイムゾーンベゼル５２内に環歯部５２２を設けることで、文字板５３脇の切欠溝に枢着する遊星遊び歯車５４と噛合させる。その他、前記遊星基本歯車５１の片側もまた遊星従動車５５と噛合し、その底部に複数個の嵌装孔５５１を凹設し、嵌装孔５５１は遊星遊び歯車５４に対応するように設置された嵌装用ほぞ５４１と相互に結合することで、遊星遊び歯車組を形成すると共に連動関係を具備する。
【００３８】
環歯部５２２上方の環状に配列した複数個のノコギリ歯状の孔５２３に掛合するため、前記地板１１底部周りの半径方向に少なくとも２つの弾性止め爪５６を取り付ける。これにより、タイムゾーンベゼル５２が一つのタイムゾーンまで回転した時、遊星遊び歯車５４が遊星従動車５５と一緒に回転して遊星基本歯車５１が遊星従動車５５に伴って回転させることで、時前車４１に遊星運動を呈させ、更に時車４２を回転させて文字板５３上の時針４３を同時に回転させる。また前記時前車４１が遊星基本歯車５１において遊星運動を呈する時、分車軸３２２に沿って回転し、その運転に支障をきたさないため、時間の誤差が生じることがない。
【００３９】
更に、これらノコギリ歯状の孔５２３は単方向で、且つ２４個設置され、タイムゾーン回転盤８１表面上の２４タイムゾーン代表都市と相互に対応し、タイムゾーンベゼル５２を回す時に逆方向のみに回転することができ、且つ少なくとも２つの止め爪５６を介して選択的にノコギリ歯状の孔５２３内に止め、明確な段落感を具える以外、更に１時間単位方式固定機能を具備する。
【００４０】
図１ｂ及び図６を見ると、例えば某タイムゾーンの昼夜状況を知りたい場合、本発明では昼夜表示装置６を更に含む。昼夜表示装置６は、時車４２の片側において地板１１に枢着する昼夜歯車６１と噛合し、文字板５３に先行設置された板孔５３１内に収納され、前記昼夜歯車６１を時車４２に伴って運転させる。昼夜歯車６１表面には、昼夜状況を表示するため、昼夜符号を示す標識６２(図６を参考)を具備する。昼夜歯車６１が定常に時車４２と噛合するため、正常な状態において、時車４２に伴って運転し、利用者に現地時間の昼夜状況を表示させる。利用者がタイムゾーンベゼル５２を回した時、前記時車４２にも相対するような旋回が生じるため、昼夜歯車６１も時車４２に伴って回転し、選定したタイムゾーンまで調整した時、表示される標識６２は現地時間の昼夜状況を示す。これにより、本発明は１２時間時計アセンブリーでその他タイムゾーンの昼夜状況及び相対時間を判別できる。
【００４１】
カバー７は、地板１１に連接ロックされ、その表面の筒カナ３６と電池１３に対応する位置に各々筒カナ孔７１及び電池孔７２を設け、前記電池孔７２は従来の電池カバーにより封止できる。或いは、本発明の時計アセンブリーがケース８内に設けられ、また裏蓋８４を介してケース８の裏面を封止することで、電池１３の脱落を避けることができる。
【００４２】
図７ａから図１２で開示するものは、本発明時計アセンブリーの第二実施例の見取図で、前述の第一実施例の差異とは、前記第一実施例に上、下段の環状ノコギリ歯状の孔及び環歯部を含むタイムゾーンベゼル及び前記少なくとも２つの弾性止め爪等の構造の変化である。本実施例の時計アセンブリーも動力源１、秒カウント装置２、分カウント装置３、時カウント装置４及びタイムゾーン表示装置５の組み合わせから成る。特に、本実施例は昼夜表示装置６を更に含むことができる。
【００４３】
本実施例の動力源１、秒カウント装置２、分カウント装置３、時カウント装置４、及び昼夜表示装置６の大部分のコンポーネントは、第一実施例と同じであるため、同じコンポーネント名に同じ符号で示し、そのため、そのコンポーネント間の結合関係をここでは詳述しない。
【００４４】
前記時カウント装置４と前述第一実施例との差異は、前記時前車４１は枢軸４１１で前記遊星基本歯車５１の底部片側に枢着することにある。
【００４５】
タイムゾーン表示装置５は、地板１１底部中央に遊星基本歯車５１を嵌装し、その中央穴は分車軸３２２が通過することに供され底部の脇に枢着している時前車４１と噛合する。その他タイムゾーンベゼル５２及び係合リング５７が前記地板１１と文字板５３の間に挟持され、前記タイムゾーンベゼル５２の前面に２４タイムゾーンの代表都市名を表記したタイムゾーン回転盤８１(例えば図１２)と連接するため、例えばほぞのような複数個接合部５２１を設け、前記タイムゾーンベゼル５２内に環歯部５２２を設けることで、文字板５３脇の切欠溝に枢着する遊星遊び歯車５４と噛合させる。その他、前記遊星基本歯車５１の片側もまた遊星従動車５５と噛合し、その底部に複数個の嵌装孔５５１を凹設し、嵌装孔５５１は遊星遊び歯車５４に対応するように設置された嵌装用ほぞ５４１と相互に結合することで、遊星遊び歯車組を形成すると共に連動関係を具備する。
【００４６】
更に、前記地板１１底部周りに複数個ノコギリ歯状の孔１５を環状配列する。また前記係合リング５７周りの底部に複数個ほぞ５７１を凸設し、タイムゾーンベゼル５２の対応設置するほぞ穴５２４と相互に結合し、前記係合リング５７をタイムゾーンベゼル５２に伴って同時に回転させる。前記係合リング５７周りは内側に向かって少なくとも２つの弾性止め爪５７２が斜方向に張り出し、地板１１底部のノコギリ歯状の孔１５に掛合させる。これにより、タイムゾーンベゼル５２が一つのタイムゾーンまで回転した時、遊星遊び歯車５４が遊星従動車５５と一緒に回転して遊星基本歯車５１が遊星従動車５５に伴って回転させることで、時前車４１に遊星運動を呈させ、更に時車４２を回転させて文字板５３上の時針４３を同時に回転させる。また前記時前車４１が遊星基本歯車５１において遊星運動を呈する時、分車軸３２２に沿って回転し、その運転に支障をきたさないため、時間の誤差が生じることがない。
【００４７】
更に、これらノコギリ歯状の孔１５は単方向で、且つ２４個設置され、タイムゾーン回転盤８１上の２４タイムゾーン代表都市と相互に対応し、タイムゾーンベゼル５２を回す時に逆方向のみに回転することができ、且つ少なくとも係合リング５７の２つの止め爪５７２を介して選択的にノコギリ歯状の孔１５内に止め、明確な段落感を具える以外、更に１時間単位方式の固定機能を具備する。
【００４８】
カバー７は、地板１１に連接ロックされ、その表面の筒カナ３６と電池１３に対応する位置に各々筒カナ孔７１及び電池孔７２を設け、前記電池孔７２は電池カバー７３により封止できる。
【００４９】
図５及び図１１は、本発明の第一、第二実施例の時計アセンブリーをケース８、例えば腕時計ケース内に取り付け、前記ケース８の前面が２４タイムゾーン代表都市を具備するタイムゾーン回転盤８１を係合し、前記ベゼル内面の接合部５２１に対応する位置に連接部８１１を設け、例えば凹溝である。その他タイムゾーンの時刻を直ちに観察するため、前記タイムゾーン回転盤８１の回転を介してタイムゾーンベゼル５２に相対するすように作動できる。更に、前記タイムゾーン回転盤８１前面が、風防ガラス８２を結合し、且つ防水機能を提供し、このため前記風防ガラス８２とタイムゾーン回転盤８１の間、前記タイムゾーン回転盤８１とケース８の間及びケース８と裏蓋８４の間にいずれも防水ゴムパッキン８３を設ける。その他、前記ケース８の裏面に裏蓋８４が取り付けられ、周りの凸模様８４１或いは中央の長方形の凹溝８４２の回転を介して、ケース８と結合或いは分離でき、時間の調整及び電池１３の交換に利便性がある。更に、タイムゾーン回転盤８１の回転のため、その周りのリングに複数個の凹模様８１２を設けることで、手動操作に利便性がある。その他、文字板５３の美観を増すため、前面に時間の目盛或いは飾りを表示する飾板５８を結合でき、飾板５８は、例えば時、分及び秒の目盛を表示する時間目盛、及び半円形の窓を具備することで、昼夜の状況を観察することができるが、これは従来の技術であるため、ここでは詳述しない。
【００５０】
図６及び図１２は、本発明を使用する時、利用者がまずタイムゾーン回転盤８１の現地地域マーク、例えば台北(Ｈ．Ｋ．／Ｔａｉｐｅｉ)を所定位置、例えば１２時方向に合わせてから時間調整つまみ３５を回転させ、分カウント装置３及び時カウント装置４を現地時間に合わせ、また文字板５３上の昼夜歯車６１前面の標識６２を介して表示された時間について昼間或いは夜間であることを判読し、例えば正午１２時に調整する。例えばシカゴ(Ｃｈｉｃａｇｏ)時刻といった他タイムゾーンを調べたい場合、タイムゾーン回転盤８１を回すだけでタイムゾーンベゼル５２及び時カウント装置４を同時に運動させ、シカゴの地域マークを１２時方向に合わせ、この時、時針４３が１０時を指し、昼夜歯車６１が夜間を示す標識６２を示すと、現在シカゴが夜間の１０時であることを意味し、ビジネスの電話連絡に適していない。
【００５１】
もし現地において毎年３月から１０月サマータイムが実施されていた場合、図１２に示すように、飾板５８の時間目盛上にＤ．Ｓ．Ｔ．位置が表示され、時間をサマータイムに調整したい場合、反時計回りにタイムゾーン回転盤８１を回転させることで、設定したい都市地域マークを飾板５８のＤ．Ｓ．Ｔ．位置に合わせるまでタイムゾーン回転盤８１がタイムゾーンベゼル５２を同時に回転させるだけでよく、苦心して時カウントを調整する必要がない。
【００５２】
本発明に開示したものは、好ましい実施例の一つであり、各種局部的な改変或いは修飾について本発明の技術的思想に基づき、当該技術を熟知する者が、容易に推察できるものも本発明実用新案権の権利範囲に属するものとする。
【００５３】
上記をまとめると本発明の目的、手段と効果が、従来の技術的特徴とは異なり、初めの創作で、実用性に適し、発明の特許要件を満たしているため、審査官皆様のご審査により、一日も早く特許をお許しいただきますよう切に願います。
【図面の簡単な説明】
【００５４】
【図１ａ】本発明時計アセンブリーの立体分解図である。
【図１ｂ】本発明時計アセンブリーの立体分解図である。
【図２】図１で示す地板の別視角の立体図である。
【図３】図１で示す地板上方表面の各コンポーネント組立後の見取図である。
【図４】図１で示す地板下方表面の各コンポーネント組立後の見取図である。
【図５】本発明時計アセンブリーの第一実施例とケースの立体分解図である。
【図６】本発明時計アセンブリーの第一実施例とケースの組立後の立体図である。
【図７ａ】本発明時計アセンブリーの第二実施例の立体分解図である。
【図７ｂ】本発明時計アセンブリーの第二実施例の立体分解図である。
【図８】図７で示す地板の別視角の立体図である。
【図９】図７で示す地板上方表面の各コンポーネント組立後の見取図である。
【図１０】図７で示す地板下方表面の各コンポーネント組立後の見取図である。
【図１１】本発明時計アセンブリーの第二実施例とケースの立体分解図である。
【図１２】本発明時計アセンブリーの第二実施例とケース組立後の立体図である。
【符号の説明】
【００５５】
１  動力源    
１１  地板
１２  回路板
１３  電池
１４  ステッパモータ 
１４１  コイル
１４２  固定子
１４３  回転子
１５  ノコギリ歯状の孔
２  秒カウント装置 
２１  秒前車
２２  秒車
２３  秒針の軸
２４  秒針/盤 
３  分カウント装置 
３１  分前車
３２  分車組
３２１  分車
３２２  分車軸
３２３  留め具
３３  分針の軸
３４  分針
３５  時間調整鈕
３６  筒カナ
３７  バネ
３８  従動車
４  時カウント装置 
４１  時前車
４１１  枢軸
４２  時車
４３  時針
５  タイムゾーン表示装置
５１  遊星基本歯車
５２  タイムゾーンベゼル
５２１  接合部
５２２  環歯部
５２３  ノコギリ歯状の孔
５２４  ほぞ穴
５３  文字板
５３１  板孔
５４  遊星遊び歯車
５４１  嵌装用ほぞ
５５  遊星従動車
５５１  嵌装孔
５６  止め爪
５７  係合リング
５７１  ほぞ
５７２  止め爪
５８  飾板
６  昼夜表示装置
６１  昼夜歯車
６２  標識
７  カバー
７１  筒カナ孔
７２  電池孔 
７３  電池カバー
８  ケース 
８１  タイムゾーン回転盤
８１１  連接部
８１２  凹模様
８２  風防ガラス
８３  防水ゴムパッキン
８４  裏蓋
８４１  凸模様
８４２  凹溝
【図１ａ】
0005127279.tif 000002
【図１ｂ】
0005127279.tif 000003
【図２】
0005127279.tif 000004
【図３】
0005127279.tif 000005
【図４】
0005127279.tif 000006
【図５】
0005127279.tif 000007
【図６】
0005127279.tif 000008
【図７ａ】
0005127279.tif 000009
【図７ｂ】
0005127279.tif 000010
【図８】
0005127279.tif 000011
【図９】
0005127279.tif 000012
【図１０】
0005127279.tif 000013
【図１１】
0005127279.tif 000014
【図１２】
0005127279.tif 000015